(57)【要約】【課題】  雌雄部材の合体時に、その合体高さを小さくできるクリップの提供。【解決手段】  自動車の内装部品を車体に固定するクリップであって、内装部品側に取り付けられる雄部材１と、車体側に取り付けられる雌部材２と、該雄部材と雌部材とを一体に連結するストラップ３とから成り、雄部材は、内装部品の取付座を保持する頭部４と、雌部材の内部に押し込まれる脚部５とを有し、該脚部の両側外面に係止爪８を形成し、雌部材は、車体の取付孔内に挿入される筒部９と、該筒部の一方の開口縁に延設されるフランジ部１０とを有し、筒部の一の対向する側面に上記雄部材の係止爪を係止する係止孔１１を形成すると共に、同他の対向する側面に車体の取付孔の孔縁に係止する係止手段１２を設けて、該係止手段の取付孔の孔縁に対する係止力の方を係止爪の係止孔に対する係止力よりも大きくすることを特徴する。【選択図】          図１
2006118679.tif 000002
【特許請求の範囲】
【請求項１】
自動車の内装部品を車体に固定するクリップであって、内装部品側に取り付けられる雄部材と、車体側に取り付けられる雌部材と、該雄部材と雌部材とを一体に連結するストラップとから成り、雄部材は、内装部品の取付座を保持する頭部と、雌部材の内部に押し込まれる脚部とを有し、該脚部の両側外面に係止爪を形成し、雌部材は、車体の取付孔内に挿入される筒部と、該筒部の一方の開口縁に延設されるフランジ部とを有し、筒部の一の対向する側面に上記雄部材の係止爪を係止する係止孔を形成すると共に、同他の対向する側面に車体の取付孔の孔縁に係止する係止手段を設けて、該係止手段の取付孔の孔縁に対する係止力の方が係止爪の係止孔に対する係止力よりも大きいことを特徴とするクリップ。
【請求項２】
係止爪と係止孔及び係止手段の夫々が、車体に対する取り付け時に、車体の裏面側に位置することを特徴とする請求項１記載のクリップ。
【発明の詳細な説明】
【技術分野】
【０００１】
本発明は、例えば、自動車のエアバックを被うトリムカバー等の内装部品を車体側に固定するクリップに関するものである。
【背景技術】
【０００２】
従来のこの種クリップは、具体的には図示しないが、合成樹脂の一体成形品で、内装部品たるトリムカバー側に取り付けられる雌部材と、車体たる車体パネル側に取り付けられる雄部材と、該雌部材と雄部材とを一体に連結する直線状のストラップの３部品から成り、雌部材は、全体が矩形状に成形されて、その内部に後述する雄部材の第２係止部を係止する係止孔を形成し、対向する外面に内装部品に設けられた取付座の開口縁をスライド可能に係止するガイド溝を形成し、雄部材は、その基板の下面側に車体パネルに穿設された取付孔に係止する錨脚状の第１係止部を形成し、同基板の上面側に上記雌部材の係止孔に抜け外れ可能に係止する楕円状の第２係止部を形成する構成となっている（例えば、特許文献１参照）。
【０００３】
そして、実際に、トリムカバーを車体パネル側に固定する場合には、まず、そのガイド溝を利用して、雌部材をトリムカバーの取付座側に取り付けると同時に、雄部材の錨脚状を呈する第１係止部を車体パネルの取付孔に係止する状態を得て、雌部材の係止孔内に雄部材の第２係止部を挿入すると、当該第２係止部が雌部材の係止孔に係止するので、これにより、トリムカバーが車体パネル側に固定されることとなる。
【０００４】
又、自動車の衝突事故などで、エアバックが膨張すると、そのトリムカバーが車体パネル側から離れて押し開かれることとなるが、この場合には、雄部材の第２係止部が雌部材の係止孔から抜け外れて、トリムカバーの更なる押し開きを許容することとなるが、当該トリムカバー側に取り付けられている雌部材は、車体パネル側に取り付けられている雄部材とはストラップを介して連結されているので、このストラップの存在により、トリムカバー自体が単独で飛び出すことを阻止して、乗員がトリムカバーで危害を受けることを防止できる。
【特許文献１】特許第３５４６０１４号公報
【発明の開示】
【発明が解決しようとする課題】
【０００５】
従って、従来のクリップにあっては、雌部材と雄部材とをストラップで連結することにより、トリムカバーが車体パネル側から飛び出すのを防止できる利点を有することとなるが、この為には、雄部材に対しては、その基板の下面側に係止力の強い錨脚状の第１係止部を形成し、同上面側に第１係止部よりも係止力が弱い楕円状の第２係止部を形成して、当該第１・第２係止部を同一直線状に配置しなければならないので、自ずと、クリップ自体の高さが全体に亘り嵩張る問題点を有していた。
【課題を解決するための手段】
【０００６】
本発明は、斯かる従来クリップの抱える課題を有効に解決するために開発されたもので、請求項１記載の発明は、自動車の内装部品を車体に固定するクリップであって、内装部品側に取り付けられる雄部材と、車体側に取り付けられる雌部材と、該雄部材と雌部材とを一体に連結するストラップとから成り、雄部材は、内装部品の取付座を保持する頭部と、雌部材の内部に押し込まれる脚部とを有し、該脚部の両側外面に係止爪を形成し、雌部材は、車体の取付孔内に挿入される筒部と、該筒部の一方の開口縁に延設されるフランジ部とを有し、筒部の一の対向する側面に上記雄部材の係止爪を係止する係止孔を形成すると共に、同他の対向する側面に車体の取付孔の孔縁に係止する係止手段を設けて、該係止手段の取付孔の孔縁に対する係止力の方が係止爪の係止孔に対する係止力よりも大きいことを特徴とする。
【０００７】
請求項２記載の発明は、請求項１を前提として、係止爪と係止孔及び係止手段の夫々が、車体に対する取り付け時に、車体の裏面側に位置することを特徴とする。
【発明の効果】
【０００８】
依って、請求項１記載の発明にあっては、雄部材は、頭部と脚部とを有し、雌部材は、筒部とフランジ部とを有して、雌雄部材の合体時には、雄部材の脚部が雌部材の筒部内に完全に押し込まれる関係で、従来のものと比較すると、クリップ自体の高さを可及的に小さくすることが可能となる。
【０００９】
請求項２記載の発明にあっては、車体パネルに対する取り付け時には、係止爪と係止孔及び係止手段が車体の裏面側に位置する関係で、例え、取り外し方向に所定の荷重が加わっても、係止手段は、車体の取付孔の孔縁に強固に係止するが、逆に、係止爪は、この強固な係止状態を利用して、係止孔から容易に外れるので、内装部品の押し開きを確実に許容できる。
【発明を実施するための最良の形態】
【００１０】
本発明は、雄部材に対しては、内装部品の取付座を保持する頭部と、雌部材の内部に押し込まれる脚部とを付与し、雌部材に対しては、車体の取付孔内に挿入される筒部と、該筒部の一方の開口縁に延設されるフランジ部とを付与して、雌雄部材の合体時には、雄部材の脚部を雌部材の筒部内に完全に押し込むことにより、クリップ自体の高さを可及的に小さくせんとしたものである。
【実施例１】
【００１１】
以下、本発明を図示する各好適な実施例に基づいて詳述すれば、第一実施例に係るクリップは、自動車のエアバックを被うトリムカバーを車体パネル側に固定するものとして開発されたもので、従来と同様に、合成樹脂の一体成形品であるが、特徴とするところは、以下の構成を採用した点にある。
【００１２】
即ち、第一実施例に係るクリップは、図１乃至図３から明らかな如く、トリムカバー側に取り付けられる雄部材１と、車体パネル側に取り付けられる雌部材２と、該雄部材１と雌部材２とを一体に連結する帯状のストラップ３の３部品とから成り、雄部材１は、後述するトリムカバーＴの取付座１４を保持する横Ｕ字状の頭部４と、雌部材２の内部に押し込まれるＵ字状の脚部５とを有し、前者の頭部４に対しては、その横Ｕ字状の内側に後述するトリムカバーの取付座１４に形成される係合溝１５に係合する係合軸６を介設すると共に、横Ｕ字形状を画成する一方の側壁の両縁に取付座１４の底面に当接するガタ抑え羽根７を突設する構成となっている。
【００１３】
又、後者の脚部５に対しては、その両側壁の外面に後述する雌部材２の係止孔１１に係止する係止爪８を一体に膨出する状態をもって形成して、当該脚部５が雌部材２の内部に押し込まれる時には、脚部５自体のＵ字状を呈する両側壁の内側への撓みを得て、各係止爪８が雌部材２の内部をスムーズに通過して、係止孔１１に脱着可能に係止できる構成となっている。
【００１４】
雌部材２は、全体が長方形状を呈し、車体パネルに穿設された取付孔内に挿入される角筒部９と、該角筒部９の一方の開口縁に延設される相似形のフランジ部１０とを有し、特に、前者の角筒部９に対しては、その一の対向する側面に上記雄部材１の係止爪８を係止する係止孔１１を形成すると共に、他の対向する側面に車体パネルの取付孔の孔縁に裏面側から係止する係止手段たる弾性係止脚１２をスリット１３を介して設ける構成となっている。尚、当該弾性係止脚１２の取付孔の孔縁に対する係止力の方が、上記係止爪８の係止孔１１に対する係止力よりも大きくなるように設定するものとする。
【００１５】
ストラップ３は、その一端部が雄部材１の脚部５のガタ抑え羽根７が突設されている側壁の先端縁に連結され、他端部が上記フランジ部１０側の角筒部９の開口縁外面に連結されるものであるが、直線状に成形される従来のものとは異なり、予め、くの字形状を積極的に付与して成形されているので、雄部材１の脚部５を雌部材２の角筒部９内に押し込む時には、曲がり易く且つ押し込みに支障を来たす心配がなく、その上、雄部材１と雌部材２を合体して車体パネルの取付孔に挿入した状態にあっても、曲げ支点が決定されているので、その折れ曲がり寸法も小さくできる。
【００１６】
トリムカバーＴの裏面に設けられる取付座１４は、図４に示す如く、その底面の中央部に上記係合軸６を係合する外部へ開放された係合溝１５を形成して、該係合溝１５が形成されていない両側部に雄部材１の頭部４を位置決めして不用な回転を防止する一対のリブ壁１６を設ける構成となっている。尚、当該一対のリブ壁１６を係合溝１５の両側まで連続して設けなかった理由は、取り付け時におけるガタ抑え羽根７の存在を邪魔しないためである。
【００１７】
依って、斯かる第一実施例のクリップを用いて、エアバックを被うトリムカバーＴを車体パネルＰ側に固定する場合には、まず、図５に示す如く、雄部材１の脚部５を雌部材２の角筒部９内に押し込むと、脚部５の両側壁に形成されている係止爪８が角筒部９の一の対向する側面に形成されている係止孔１１に係止するので、これにより、雄部材１と雌部材２との合体状態が容易に得られる。
【００１８】
そこで、今度は、トリムカバーＴの取付座１４に雄部材１の頭部４を宛がって、その横Ｕ字形状の連結部位を押し面として、雄部材１の頭部４を取付座１４方向に強く押し込むと、頭部４の係合軸６が取付座１４の係合溝１５内に係入してその終端に係合するので、これにより、雌部材２と合体する雄部材１がトリムカバーＴの取付座１４側に取り付けられることとなる。尚、この雄部材１の取り付けに際しては、取付座１４側のリブ壁１６により、雄部材１の頭部４の押し込み方向が規制されることとなるので、作業性が良好なることは言うまでもないが、頭部４が取付座１４に対して不用に回転することがない。
【００１９】
従って、後は、クリップを取り付けたトリムカバーＴを車体パネルＰ側に押し付けて、その雌部材２の角筒部９を車体パネルＰに予め穿設されている角孔状の取付孔Ｈに挿入すると、角筒部９の他の対向する側面に設けられている弾性係止脚１２がスリット１３を介して内側に撓みながら通過し、通過後は、弾性係止脚１２の先端部が取付孔Ｈの孔縁に裏面側から係止することとなるので、これにより、図６に示す如く、自動車のエアバックを被うトリムカバーＴが車体パネルＰ側にワンタッチで確実に固定されることとなる。
【００２０】
尚、斯かる固定状態にあっては、図示する如く、雄部材１の脚部５が雌部材２の角筒部９内に押し込まれる関係で、従来のものと比較すると、クリップ自体の高さＸを可及的に小さくできると共に、ストラップ３の折れ曲がり寸法Ｙも小さくできる。更に、この場合には、弾性係止脚１２は勿論であるが、雄部材１の係止爪８と雌部材２の係止孔１１は、車体パネルＰの裏面側に位置して係止する状態となる。又、雄部材１の脚部５のＵ字状両側壁は、係止孔１１とは対面するが、弾性係止脚１２とは対面していないので、弾性係止脚１２が内側に撓む際には、脚部５の存在が邪魔となることも決してない。
【００２１】
又、自動車の衝突事故などで、エアバック（図示せず）が膨張すると、やはり、トリムカバーＴもこれと連動して車体パネルＰ側から離れて押し開かれることとなるが、この場合には、図７に示す如く、雄部材１の係止爪８が雌部材２の係止孔１１から抜け外れて、トリムカバーＴ自体の更なる押し開きを許容しながら、エアバックの膨張を助長することとなるが、このトリムカバーＴ側に取り付けられている雄部材１は、車体パネルＰ側に取り付けられている雌部材２とはストラップ３を介して連結されているので、このストラップ３の長さ分、トリムカバーＴの押し開きをそれ以上阻止して、トリムカバーＴが単独で飛び出すことにより、乗員に危害が加わることを有効に防止できることとなる。
【００２２】
特に、この場合には、既述した如く、弾性係止脚１２は、鋼板製の車体パネルＰの取付孔Ｈの孔縁に裏面側から係止していることに加えて、係止爪８と係止孔１１も車体パネルＰの裏面側で係止している関係で、上記した係止力の差と相俟って、弾性係止脚１２は大きな係止力をもって取付孔Ｈの孔縁に係止することとなるので、これに伴い、雄部材１の係止爪８は雌部材２の係止孔１１から容易に外れることとなる。従って、トリムカバーＴの押し開きが確実に許容できる。
【実施例２】
【００２３】
次に、第二実施例に係るクリップを説明すると、当該第二実施例のものは、基本的には、上記した第一実施例の構成を踏襲するものであるが、異なるところは、図８に示す如く、雄部材１と雌部材２とを左右対称形状を呈する２本のストラップ３で一体に連結すると共に、雄部材１のトリムカバーＴの取付座１４を保持する頭部４を２枚の円板で構成し、且つ、雌部材２の角筒部９の開口縁に延設されるフランジ部１０を円形状となした点にある。
【００２４】
依って、第二実施例の下でも、クリップを取り付けたトリムカバーＴを車体パネルＰ側に押し付けて、その雌部材２の角筒部９を車体パネルＰの取付孔Ｈに挿入すると、角筒状の他の対向する側面に設けられている弾性係止脚１２がスリット１３を介して内側に撓みながら通過し、通過後は、弾性係止脚１２が取付孔Ｈの孔縁に裏面側から係止することとなるので、これにより、図９に示す如く、自動車のエアバックを被うトリムカバーＴが車体パネルＰ側にワンタッチで確実に固定される。
【００２５】
そして、自動車の衝突事故などで、エアバックが膨張すると、トリムカバーＴもこれと連動して車体パネルＰから離れて押し開かれることとなるが、この場合には、図１０に示す如く、雄部材１の係止爪８が雌部材２の係止孔１１から抜け外れて、トリムカバーＴの更なる押し開きを許容しながら、エアバックの膨張を助長することとなるが、このトリムカバーＴ側に取り付けられている雄部材１は、車体パネルＰ側に取り付けられている雌部材２とは２本のストラップ３を介して連結されているので、このストラップ３の長さ分、トリムカバーＴの押し開きをそれ以上阻止して、やはり、トリムカバーＴが単独で飛び出すことを有効に防止できる。
【産業上の利用可能性】
【００２６】
本発明に係るクリップは、雌雄部材の合体時には、雄部材の脚部を雌部材の筒部内に押し込むことにより、クリップ自体の高さを可及的に小さくできるので、特に、自動車のエアバックを被うトリムカバーを車体側に固定するような場合には、頗る好都合なものとなる。
【図面の簡単な説明】
【００２７】
【図１】本発明の第一実施例に係るクリップをその成形状態をもって示す斜視図である。
【図２】図１のＡ−Ａ線断面図である。
【図３】図１のＢ−Ｂ線断面図である。
【図４】トリムカバーの取付座を裏面側から示す要部斜視図である。
【図５】雄部材と雌部材とを合体した状態を示す斜視図である。
【図６】トリムカバーを第一実施例のクリップを用いて車体パネルに固定した状態を示す要部断面図である。
【図７】トリムカバーが車体パネルから離れた状態を示す要部断面図ある。
【図８】本発明の第二実施例に係るクリップをその成形状態をもって示す斜視図である。
【図９】トリムカバーを第二実施例のクリップを用いて車体パネルに固定した状態を示す要部断面図である。
【図１０】トリムカバーが車体パネルから離れた状態を示す要部断面図ある。
【符号の説明】
【００２８】
１    雄部材
２    雌部材
３    ストラップ
４    頭部
５    脚部
６    係合軸
７    ガタ抑え羽根
８    係止爪
９    角筒部（筒部）
１０  フランジ部
１１  係止孔
１２  弾性係止脚
１３  スリット
１４  取付座
１５  係合溝
１６  リブ壁
Ｔ    トリムカバー（内装部品）
Ｐ    車体パネル（車体）
Ｈ    取付孔
Ｘ    クリップ高さ
Ｙ    ストラップの折れ曲がり寸法
【図１】
2006118679.tif 000003
【図２】
2006118679.tif 000004
【図３】
2006118679.tif 000005
【図４】
2006118679.tif 000006
【図５】
2006118679.tif 000007
【図６】
2006118679.tif 000008
【図７】
2006118679.tif 000009
【図８】
2006118679.tif 000010
【図９】
2006118679.tif 000011
【図１０】
2006118679.tif 000012